(57)【要約】【課題】  配光制御用のレンズやリフレクタを経由しない出射光を、新たに遮光用部材を設けることなく簡単かつコンパクトな構成で遮光できる車両用灯具を提供する。【解決手段】  第１の光Ｌ１を灯具前方へ出射する第１の光源６１ａを搭載した第１の基板６１ｂと、第１の基板６１ｂに対して非平行に設けられ、第１の光Ｌ１とは異なる方向に第２の光Ｌ２を出射する第２の光源６２ａを搭載した第２の基板６２ｂと、第２の光Ｌ２を反射する反射面を、回転軸周りに回転させる回転リフレクタ８を備え、第１の基板６１ｂの延長線と第２の基板６２ｂが交差する交差点より第２の基板６２ｂの端部が第１の光Ｌ１の出射方向に突出して設けられた突出部６２ｃにより第１の光Ｌ１の一部を遮光する。
2020080512.tif 000002
【特許請求の範囲】
【請求項１】
第１の光を灯具前方へ出射する第１の光源が搭載された第１の基板と、
前記第１の基板に対して非平行に設けられ前記第１の光とは異なる方向に第２の光を出射する第２の光源が搭載された第２の基板と、
前記第２の光を前記第１の光と同じ方向に配光するリフレクタとを備え、
前記第２の基板が前記第１の光の一部を遮光することを特徴とする車両用灯具。
【請求項２】
前記第１の基板の延長線と前記第２の基板が交差する交差点より前記第２の基板の端部が前記第１の光の出射方向に突出して設けられた突出部により前記第１の光の一部を遮光する請求項１に記載の車両用灯具。
【請求項３】
前記第１の光を灯具前方へ投影するインナーレンズをさらに備え、前記第１の光のうち前記インナーレンズに入射されない光の一部を前記突出部が遮光する請求項１又は２に記載の車両用灯具。
【請求項４】
前記インナーレンズから投影された前記第１の光と前記リフレクタで反射された前記第２の光とを入射し灯具前方へ投影する投影レンズをさらに備え、前記第１の光のうち前記インナーレンズに入射されずに前記投影レンズに入射する光を前記突出部が遮光する請求項１〜３のいずれか一項に記載の車両用灯具。
【請求項５】
前記第１の光源と前記第２の光源の発熱を放散するヒートシンクをさらに備え、前記第１の基板と前記第２の基板とが前記ヒートシンクに放熱グリスを介して載置され、前記第１の基板の端部と前記第２の基板の裏面との間に前記放熱グリスの余剰分を収納可能な収納部を備える請求項１〜４のいずれか一項に記載の車両用灯具。
【請求項６】
発光素子と、前記発光素子を搭載する基板と、前記発光素子の光を反射する反射面を回転軸周りに回転させる回転リフレクタと、前記回転リフレクタを保持する回転リフレクタケースと、前記反射面を介した光を灯具前方に投影する投影レンズと、前記投影レンズを保持するレンズホルダと、前記基板と前記回転リフレクタと前記レンズホルダを支持する支持部材と、を備えた灯具ユニットであって、
前記発光素子と前記反射面の間に配置され、前記発光素子から出射された光を透過させる透明部材からなるカバーレンズと、前記カバーレンズを前記基板に固定する固定用部材を含み、
前記固定用部材は、前記カバーレンズから出射される光の一部を遮光することを特徴とする灯具ユニット。
【請求項７】
前記カバーレンズが、前記発光素子から出射された光を前記回転リフレクタの反射面に投影する配光制御部と、前記配光制御部と一体成形された脚部を含み、
前記固定用部材が、前記配光制御部を露出させる開口部を含み、
前記固定用部材は、前記カバーレンズから出射される光のうち、前記配光制御部に入射しない光を遮光する請求項６に記載の灯具ユニット。
【請求項８】
前記固定用部材が、前記開口部の周縁の少なくとも一部に、前記発光素子から出射された光の一部を遮光する立壁を含む、請求項６または７に記載の灯具ユニット。
【請求項９】
前記立壁は、前記発光素子から出射された光のうち、前記回転リフレクタに投影されない光を遮光する請求項８に記載の灯具ユニット。
【請求項１０】
前記立壁が、前記投影レンズと前記カバーレンズの間に介設されてなる請求項８または９に記載の灯具ユニット。
【請求項１１】
表面に反射面を有するリフレクタと、前記リフレクタを収容するケースと、を備え、
前記ケースの内側底面の周縁部に前記リフレクタの外周面を包囲する立壁を設け、
前記リフレクタの背面側に、前記ケースの底面を介して前記リフレクタを回転軸周りに回動させるモータを配置したことを特徴とするリフレクタモジュール。
【請求項１２】
前記リフレクタの表面が、前記立壁の上端部平面より内側に収容される請求項１１に記載のリフレクタモジュール。
【請求項１３】
前記モータが、前記モータを駆動するモータ駆動部を含み、
前記ケースの外側底面に前記モータ駆動部の少なくとも一部を覆うカバーを設けた請求項１１または請求項１２に記載のリフレクタモジュール。
【請求項１４】
前記モータ駆動部が、ヨーク部と、前記ヨーク部を制御する制御回路を搭載した制御回路基板を含み、
前記カバーが、前記ヨーク部の一部を露出させる開口部を備え、
前記ヨーク部と前記制御回路基板との間に形成される隙間が、前記開口部から露出しない位置に設けられている請求項１１〜１３のいずれか一項に記載のリフレクタモジュール。
【請求項１５】
前記カバーの外側底面に、前記モータへの給電に用いる配線部材を、所定の位置に保持する保持部材を設けた請求項１３または請求項１４に記載のリフレクタモジュール。
【請求項１６】
前記保持部材が、前記配線部材と前記ヨーク部とが接触しないように遮蔽する遮蔽壁を含み、
前記遮蔽壁の一部に、前記配線部材を挟持する係合部を備えた請求項１５に記載のリフレクタモジュール。
【請求項１７】
請求項１１〜１６のいずれか一項に記載のリフレクタモジュールと、前記リフレクタの反射面に光を出射する発光素子を搭載した発光素子基板と、前記発光素子基板を載置する載置面を有する支持部材と、前記反射面で反射した光を灯具前方へ投影する投影レンズと、を備えた灯具ユニットであって、
前記支持部材は、前記発光素子からの光が前記リフレクタに向かうように前記発光素子基板を支持するとともに、前記リフレクタの回転軸が前記載置面に向けて傾斜する姿勢となるように前記リフレクタモジュールを支持し、
前記立壁は、一部に前記支持部材との干渉を防止するための凹部または切り欠き部を含むことを特徴とする灯具ユニット。
【請求項１８】
発光素子と、前記発光素子を搭載する基板と、前記発光素子の光を反射する反射面を回転軸周りに回転させる回転リフレクタと、前記回転リフレクタを保持する回転リフレクタケースと、前記反射面を介した光を灯具前方に投影するレンズと、前記レンズを保持するレンズホルダと、前記基板と前記回転リフレクタと前記レンズホルダを支持する支持部材と、を備えた灯具ユニットであって、
前記レンズホルダは、前記レンズを保持する本体部と、前記本体部を前記支持部材に締結する締結部と、を備え、
前記締結部は、前記本体部を基端として灯具後方に向けて立設されるとともに、灯具ユニット正面視において、前記レンズおよび前記本体部により遮蔽される位置に配置されたことを特徴とする灯具ユニット。
【請求項１９】
前記レンズホルダが、複数の前記締結部と、一の締結部と他の締結部を基端とし、灯具後方に向けて張り出して設けられた略Ｕ字形状の補強部材と、を含む、請求項１８に記載の灯具ユニット。
【請求項２０】
前記本体部が、略矩形枠状に形成され、
前記締結部は、前記本体部の一対の長辺の略中央に配置される請求項１９に記載の灯具ユニット。
【請求項２１】
前記締結部が、棒状の締結部材を挿通する穴部を備え、
前記穴部は、前記レンズのレンズ面と平行となる向きに開口している請求項１８〜２０のいずれかに記載の灯具ユニット。
【請求項２２】
前記基板および前記回転リフレクタケースが、棒状の締結部材を挿通可能な穴部を備え、
前記基板および前記回転リフレクタケースの穴部は、前記レンズホルダの穴部と同一方向に向けて開口している請求項１８〜２１のいずれか一項に記載の灯具ユニット。
【請求項２３】
前記回転リフレクタケースおよび前記レンズホルダは、前記回転リフレクタの回転軸が前記レンズの光軸と非平行となる姿勢で前記支持部材に支持され、
前記レンズホルダの締結部および補強部材は、前記回転リフレクタケースに向けて立設されたリブを備え、
前記補強部材のリブは、前記締結部のリブよりも低く設けられている請求項１８〜２２のいずれか一項に記載の灯具ユニット。
【発明の詳細な説明】
【技術分野】
【０００１】
本発明は、複数の光源から出射された光を回転リフレクタを用いて制御し、所望の配光パターンを形成する車両用灯具、灯具ユニット及びリフレクタモジュールに関する。
【背景技術】
【０００２】
従来より、リフレクタの反射面を回転軸周りに回転させる回転リフレクタを備え、回転リフレクタの反射光をレンズで調整して、配光制御を行う車両用灯具が知られている。例えば、特許文献１には、複数の光源を備え、各々の光源を回転反射面の異なる位置で反射させることによって所望の配光パターンを形成する制御を実施する技術が開示されている。また、光源ユニットから出射した直進光を回転軸周りに回転する反射面を備えた回転リフレクタで反射させ、灯具前方に複雑な配光パターンを投影するブレードスキャン方式に関する技術が知られている。特許文献３には、回転リフレクタを利用して、車両前方を広範囲に照射する技術が記載されている。特許文献４には、回転リフレクタを用いて形成した配光パターンをずらして重畳させることにより、明暗境界近傍の明るさ変化を緩和する技術が記載されている。
【先行技術文献】
【特許文献】
【０００３】
【特許文献１】特開２０１５−０２６６２８号公報
【特許文献２】特開２０１８−０８５２１７号公報
【特許文献３】特開２０１８−０６７５２３号公報
【特許文献４】特開２０１８−０７３４８５号公報
【発明の概要】
【発明が解決しようとする課題】
【０００４】
ところで、回転リフレクタを用いた配光制御では、光源からの出射光の一部が回転リフレクタやレンズを経由せず、配光制御されないまま灯具前方に出射されて、車両前方にグレア光を生ずる可能性があった。この点、従前より、灯具内部に遮光部材を配置し、配光制御に不要な光を遮光する技術が知られている。例えば、特許文献２には、第１，２発光素子と第１，２反射面を備え、第１発光素子からの出射光を第２反射面に入射させないように遮光する遮光部材を配置した車両用灯具が開示されている。【０００５】
しかし、特許文献２の車両用灯具によれば、遮光部材を別部品で設けたため、部品点数が増加し、灯具構造の複雑化や、灯具サイズの大型化を招くという問題があった。【０００６】
また、ブレードスキャン方式を採用した灯具ユニットにおいては、発光素子から出射した光を回転リフレクタの反射面に向けて配光するカバーレンズが設けられている。カバーレンズは、一体成形された透明部材からなり、光の向きを制御する配光制御部と、配光制御部を支持する脚部を有し、発光素子を被覆するように配置されている。【０００７】
しかし、従来の構成によれば、発光素子から入射した光の一部がカバーレンズの脚部から漏出し、配光制御されないまま灯具前方に投影され、所望の配光パターンを形成する妨げとなるおそれがあった。また、発光素子から入射した光の一部が、回転リフレクタの反射面を経由しないまま灯具前方に投影され、この場合にも、意図した配光パターンを形成できなくなるおそれがあった。【０００８】
さらに、図２１（ａ）に示すように、回転リフレクタは、リフレクタの背面にリフレクタのブレードを回動させるモータ３３２と、モータ給電用のハーネス３５８を備えている。ハーネス３５８は、モータ３３２近傍に設置する必要があるため、仮に、車両の振動やモータ３３２の回転振動によりハーネス３５８が移動して高速回転中のモータ３３２と接触すると、ハーネス３５８が損傷することが懸念され、改善の余地があった。【０００９】
そして、ブレードスキャン方式を採用した灯具ユニットにおいては、光源からの直接光と回転リフレクタを経由した反射光を重畳させるため、灯具ユニット前方にレンズを配置している。このため、レンズ部分は、灯具ユニットの意匠の中でも特に目を惹きやすく、灯具ユニットの意匠に及ぼす影響が大きい部分となっている。【００１０】
しかし、図３０（ａ）に示すように、従来のレンズホルダ４６８を用いた場合、ネジを支持部材７に締結するための締結部４３４が、レンズホルダ４３３の側方に大きく突出しているため、図３０（ｂ）に示すように、灯具ユニット３６２の正面視において、レンズ部分の外形をより大きく見せてしまい、灯具ユニットの見栄えが悪くなるという問題があった。【００１１】
そこで、本発明は、新たな部品を設けることなく、かつ、簡単かつコンパクトな構成によって、配光制御に不要な光を遮光できる車両用灯具と、カバーレンズから出射した光のうち、配光制御されない光を遮光可能な灯具ユニットと、モータと給電ハーネスとの接触を防止できるリフレクタモジュールおよび灯具ユニットと、締結部を目立たないように構成したレンズホルダを備えた、見栄えの良い灯具ユニットと、を提供することを目的とする。
【課題を解決するための手段】
【００１２】
（１）  上記課題を解決するために、本発明の車両用灯具は、第１の光を灯具前方へ出射する第１の光源が搭載された第１の基板と、第１の基板に対して非平行に設けられ第１の光とは異なる方向に第２の光を出射する第２の光源が搭載された第２の基板と、第２の光を灯具前方に反射するリフレクタとを備え、第２の基板が第１の光のうち、配光制御されない不要光を遮光することを特徴とする。【００１３】
ここで、第１の基板の延長線および第２の基板が交差する交差点より第２の基板の端部が第１の光の出射方向に突出し、突出部によって不要光が遮光される。【００１４】
また、本発明の車両用灯具は、第１の光を灯具前方へ投影するインナーレンズをさらに備え、第１の光のうちインナーレンズに入射されない光の一部または全部を不要光として突出部が遮光する構成となっている。【００１５】
さらに、本発明の車両用灯具は、インナーレンズから投影された第１の光とリフレクタで反射された第２の光とを入射し灯具前方へ投影する投影レンズをさらに備え、第１の光のうちインナーレンズに入射されずに投影レンズに入射する光を不要光として突出部が遮光する構成となっている。【００１６】
そして、第１の基板と第２の基板は、放熱グリスを介して、第１の光源と第２の光源である発光素子の発熱を放散するヒートシンクに載置されている。また、第１の基板の端部と第２の基板の裏面との間には、放熱グリスの余剰分を収納可能な収納部を備える。【００１７】
（２）  上記課題を解決するために、本発明の灯具ユニットは、発光素子と、発光素子を搭載する基板と、発光素子の光を反射する反射面を回転軸周りに回転させる回転リフレクタと、回転リフレクタを保持する回転リフレクタケースと、反射面を介した光を灯具前方に投影する投影レンズと、投影レンズを保持するレンズホルダと、基板と回転リフレクタとレンズホルダを支持する支持部材と、を備え、発光素子と反射面の間に配置され、発光素子から出射された光を透過させる透明部材からなるカバーレンズと、カバーレンズを基板に固定する固定用部材を含み、固定用部材は、カバーレンズから出射される光の一部を遮光することを特徴とする。【００１８】
カバーレンズは、発光素子から出射された光を回転リフレクタの反射面に投影する配光制御部と、配光制御部と一体成形された脚部を含み、固定用部材は、配光制御部を露出させる開口部を含む場合において、固定用部材は、カバーレンズから出射される光のうち、配光制御部に入射しない光を遮光する。【００１９】
固定用部材は、開口部の周縁の少なくとも一部に、発光素子から出射された光の一部を遮光する立壁を含むように構成することが可能である。立壁は、投影レンズとカバーレンズの間に介設され、発光素子から出射された光のうち、回転リフレクタに投影されない光を遮光する。【００２０】
（３）  上記課題を解決するために、本発明のリフレクタモジュールは、表面に反射面を有するリフレクタと、リフレクタを収容するケースと、を備え、ケースの内側底面の周縁部にリフレクタの外周面を包囲する立壁を設け、リフレクタの背面側に、ケースの底面を介してリフレクタを回転軸周りに回動させるモータを配置したことを特徴とする。このとき、リフレクタの表面は、立壁の上端部が形成する平面より内側に収容されるように設けることが好ましい。【００２１】
また、モータが、モータを駆動するモータ駆動部を含み、ケースの外側底面にモータ駆動部の少なくとも一部を覆うカバーを設けることを採用できる。モータ駆動部は、ヨーク部と、ヨーク部を制御する制御回路を搭載した制御回路基板を含み、カバーが、ヨーク部の一部を露出させる開口部を備え、ヨーク部と制御回路基板との間に形成される隙間が、開口部から露出しない位置に設けられていることが好ましい。【００２２】
カバーの外側底面に、モータへの給電に用いる配線部材を、所定の位置に保持する保持部材を備えることの好適である。さらに、保持部材が、配線部材とヨーク部とが接触しないように遮蔽する遮蔽壁を含み、遮蔽壁の一部に、配線部材を挟持する係合部を備えることも選択できる。【００２３】
また、本発明の灯具ユニットは、リフレクタモジュールと、リフレクタの反射面に光を出射する発光素子を搭載した発光素子基板と、発光素子基板を載置する載置面を有する支持部材と、反射面で反射した光を灯具前方へ投影する投影レンズと、を備えた灯具ユニットであって、支持部材は、発光素子からの光がリフレクタに向かうように発光素子基板を支持するとともに、リフレクタの回転軸が載置面に向けて傾斜する姿勢となるようにリフレクタモジュールを支持し、立壁は、発光素子よりも灯具後方に位置する部分が、部分的に壁が低い支持部材との干渉を防止するための凹部または切り欠き部を含むことを特徴とする。【００２４】
（４）  上記課題を解決するために、本発明の灯具ユニットは、発光素子と、発光素子を搭載する基板と、発光素子の光を反射する反射面を回転軸周りに回転させる回転リフレクタと、回転リフレクタを保持する回転リフレクタケースと、反射面を介した光を灯具前方に投影するレンズと、レンズを保持するレンズホルダと、基板と回転リフレクタとレンズホルダを支持する支持部材と、を備えた灯具ユニットであって、レンズホルダは、レンズを保持する本体部と、本体部を支持部材に締結する締結部と、を備え、締結部は、本体部を基端として灯具後方に向けて立設され、灯具ユニット正面視において、レンズおよび本体部により遮蔽される位置に配置されたことを特徴とする。【００２５】
このとき、レンズホルダは、複数の締結部と、一の締結部と他の締結部を基端とし、灯具後方に向けて張り出して設けられた略Ｕ字形状の補強部材と、を含むように構成しても良い。このとき、本体部を略矩形枠状に形成し、締結部を、本体部の一対の長辺の略中央に配置することも好適である。さらに、締結部に、棒状の締結部材を挿通する穴部を設け、穴部は、レンズのレンズ面と平行に開口していることが好ましい。【００２６】
また、基板および回転リフレクタケースは、棒状の締結部材を挿通可能な穴部を備える。このとき、基板および回転リフレクタケースの穴部は、レンズホルダの穴部と同一方向に向けて開口していることが好ましい。【００２７】
その他、レンズホルダを支持した支持部材に、回転リフレクタの回転軸がレンズの光軸と非平行となるように、回転リフレクタケースを取り付け、レンズホルダの締結部および補強部材に、回転リフレクタケースに向かうリブを立設しても良い。この場合において、補強部材のリブが締結部のリブよりも低くなるように構成することが好ましい。
【発明の効果】
【００２８】
本発明によれば、以下（１）〜（４）の効果を有する。
（１）  第２の基板の一部を、第１の光源から出射される不要光を遮る位置まで延設したため、新たな部品を設けることなく、簡単かつ効率的に不要光を遮光することができるという効果を有する。【００２９】
（２）  カバーレンズの固定用部材を流用して、制御されていない光を遮光できるため、所望の配光パターンを形成できるとともに、部品点数の増加を抑え、灯具ユニットを小型に保つことができるという効果を有する。【００３０】
（３）  リフレクタにケースを設け、該ケースにリフレクタの外周面を包囲する立壁を設けたため、回転するリフレクタを近接する他部材から隔離し、リフレクタと他部材との接触を防止できるという効果を奏する。また、リフレクタの背面側にカバーを設け、カバーの外側底面にモータ給電用の配線を保持する保持部材を設けたたため、ヨーク部と配線部材の接触を防止できるという効果も有する。【００３１】
（４）  レンズホルダの締結部を、本体部を基端として灯具後方に向けて立設し、灯具ユニット正面視において、レンズホルダの締結部がレンズおよび本体部に遮蔽される位置に配置したため、締結部が目立たなくなり、灯具ユニットの見栄えが良くなるという優れた効果を有する。
【図面の簡単な説明】
【００３２】
【図１】本発明の実施例１を示す車両用灯具を、車両上方から視た断面図である。
【図２】ランプユニットを灯具前方から視た斜視図である。
【図３】図２のランプユニットの展開斜視図である。
【図４】（ａ）回転リフレクタの模式図、（ｂ）リフレクタモジュールの断面図を示す。
【図５】第１，２基板を取り付けた支持部材の、（ａ）灯具前方から視た斜視図、（ｂ）平面図を示す。
【図６】第１，２基板の配置関係と、第２基板による遮光状態を示す（ａ）従来の構成、（ｂ）本発明の構成を示す模式図である。
【図７】第１の基板と第２の基板の部分拡大図である。
【図８】本発明の実施例２を示す灯具ユニットを装備した、車両用灯具の断面図である。
【図９】図８の灯具ユニットの斜視図である。
【図１０】図９の灯具ユニットを展開した展開斜視図である。
【図１１】リフレクタモジュールの模式図である。
【図１２】図８の灯具ユニットにおいて、固定用部材にフォーカスした部分拡大図である。
【図１３】支持部材に、基板と、発光素子と、固定用部材をネジ締結した状態を示す斜視図である。
【図１４】図１３の基板と、発光素子と、固定用部材を展開した斜視図である。
【図１５】固定用部材による遮光効果を示す模式図である。
【図１６】本発明の実施例３を示す灯具ユニットを設置した車両用灯具の断面図である。
【図１７】図１６の灯具ユニットの車両前方から見た斜視図である。
【図１８】図１６のリフレクタモジュールの（ａ）右側面図、（ｂ）左側面図、（ｃ）正面図、（ｄ）背面図である。
【図１９】リフレクタモジュールの（ａ）Ａ−Ａ断面図、（ｂ）分解斜視図である。
【図２０】灯具ユニットを車両用灯具の上方から見た（ａ）平面図、（ｂ）（ａ）の平面図からリフレクタモジュールを分離した図である。
【図２１】図１６の灯具ユニットを車両後方から見た斜視図である。
【図２２】本発明の実施例４を示す灯具ユニットを装備した、車両用灯具の断面図である。
【図２３】灯具ユニットを正面方向から見た斜視図である。
【図２４】灯具ユニットの展開斜視図である。
【図２５】リフレクタモジュールの模式図である。
【図２６】レンズユニットの（ａ）斜視図、（ｂ）展開斜視図である。
【図２７】（ａ）レンズホルダの正面図、（ｂ）（ａ）のレンズホルダを搭載した灯具ユニットの斜視図である。
【図２８】レンズホルダの、（ａ）右側面図、（ｂ）平面図である。
【図２９】ａ）レンズホルダの底面方向から見た斜視図、（ｂ）灯具ユニットにおける、レンズユニットとリフレクタモジュールの位置関係を示す模式図である。
【図３０】従来の構成による、（ａ）レンズユニットの正面図、（ｂ）（ａ）のレンズユニットを搭載した灯具ユニットの斜視図である。
【発明を実施するための形態】
【００３３】
以下、本発明を、車両用灯具、灯具ユニット及びリフレクタモジュールに具体化した実施形態を図面に基づいて説明する。各図において、同一の符号は同一または類似する構成要素を示す。
【実施例１】
【００３４】
図１，２に示すように、本発明の実施例１に示す車両用灯具１は車両用前照灯であって、車体に取り付けられる灯具ボディ２と、灯具ボディ２の前面を覆う透光カバー３を備え、両者の間には灯室４が形成され、灯室４の中央部にはランプユニット５が配置されている。なお、本実施例のランプユニット５は、ブレードスキャン方式により配光制御を行う光学ユニットである。ブレードスキャン方式とは、車両の周囲の状態、例えば、車両前方の先行車、対向車や歩行者の有無を検出し、車両あるいは歩行者に対応する領域を所望の配光パターンとするように制御するＡＤＢ（Ａｄａｐｔｉｖｅ  Ｄｒｉｖｉｎｇ  Ｂｅａｍ）技術のひとつである。ブレードスキャン方式では、所定曲面の反射面を有するリフレクタ（ブレード）を回転軸周りに回転させ、ブレードの回転位置に応じた角度で入射光を反射し、その反射光を車両前方にて繰り返し高速走査する。そして、走査結果に基づいて、光源の点消灯や光量をリフレクタの回転位置に応じて変化させ、車両前方に交通状況に応じた所望の配光パターンを形成する。【００３５】
ランプユニット５は、第１，２の光源ユニット６１，６２と、リフレクタモジュール８と、インナーレンズ９１，９２と、投影レンズ９３と、支持部材１０を備え、光源ユニット６１，６２、リフレクタモジュール８、インナーレンズ９１，９２、および、投影レンズ９３は、支持部材１０によって支持されている。支持部材１０は、放熱フィン７と一体成形され、エイミング調整部材１１により灯具ボディ２に保持されている。投影レンズ９３の周囲には、エクステンションリフレクタ１２が設けられ、灯具ボディ２の前面開口部とランプユニット５との間の領域を前方に対して被覆している。光Ｌ１，Ｌ２は、第１，２の光源ユニット６１，６２から出射された出射光であり、インナーレンズ９１，９２と、リフレクタモジュール８によって配光制御を受け、投影レンズ９３から灯具前方に向けて出射される。【００３６】
図３に示すように、第１の光源ユニット６１は、光源６１ａと、光源６１ａを搭載した基板６１ｂを備え、第２光源ユニット６２は、光源６２ａと、光源６２ａを搭載した基板６２ｂを備える。また、リフレクタモジュール８は、回転軸Ｒの周りで回転する回転リフレクタ８１と、回転リフレクタ８１を保持するリフレクタケース８２と、回転リフレクタ８１を駆動するモータ８３を備える。インナーレンズ９１は、固定部材９１ａによって基板６２ｂを介して支持部材１０に固定される。インナーレンズ９２と投影レンズ９３は、レンズホルダ９を介して支持部材１０に保持される。第１，２の光源６１ａ，６２ａはＬＥＤ等の発光素子を用いることができる。また、第１，２の光源６１ａ，６２ａの発光素子の数は特に限定されず、単数であっても複数であってもよい。投影レンズの焦点との距離、照射範囲、照射領域、配光パターン、ＬＥＤの性能等に応じて必要な明るさを出射できたり点消灯制御ができたりするように適宜設定することができる。さらに、複数の発光素子をアレイ状のモジュールとして配置し、点消灯制御のバリエーションを広げることもできる。【００３７】
次に、リフレクタモジュール８について説明する。図４に示すように、リフレクタモジュール８は、略分割円盤状の反射面８１ａを回転軸Ｒの周りに回転自在に設けた回転リフレクタ８１と、回転リフレクタ８１を駆動するモータ８３と、回転リフレクタ８１を保持するリフレクタケース８２を備える。リフレクタケース８２は、回転リフレクタ８１の外周を囲む立壁８２ｂを備える。【００３８】
また、回転リフレクタ８１は、図４（ｂ）に示すように、中心部において回転軸Ｒと接続され、回転軸Ｒは、リフレクタケース８２の底面に開口した穴８２ａを通じてモータ８３と接続されている。また、モータ８３は、コイル８３ａと通電により回転するヨーク８３ｂを含む。リフレクタケース８２の外側底面には、モータ８３を制御する制御回路を搭載した制御回路基板８４が配置されている。【００３９】
続いて、基板６１ｂ，６２ｂによる遮光機能および放熱機能について、図５〜図７に基づいて説明する。図５に示すように、支持部材１０の２つの互いに非平行な載置面１０ａ，１０ｂには、第１，２の基板６１ｂ，６２ｂが載置されている。また、載置面１０ａ，１０ｂの背面には、第１，２の光源６１ａ，６２ａの熱を放散するためのアルミダイキャスト製の放熱フィン７が配設され、載置面１０ａ，１０ｂおよび放熱フィン７を含むヒートシンクが形成されている。【００４０】
図５（ｂ）に、第１，２の光源６１ａ，６２ａと、配光制御機構であるインナーレンズ９１，９２、リフレクタユニット８、投影レンズ９３との位置関係を示す。第１の光源６１ａから出射した光Ｌ１は、インナーレンズ９１を透過し、透光レンズ９３に入射する。一方、第２の光源６２ａから出射した光Ｌ２は、インナーレンズ９２を透過した後に、回転リフレクタ８１の反射面８ａで反射され、投影レンズ９３に入射する。そして、投影レンズ９３に入射した光Ｌ１，Ｌ２は、灯具前方に投影され、車両前方において所望の配光パターンを形成する。【００４１】
ここで、図６（ａ）に示すように、光Ｌ１には、範囲Ｙに侵入する光Ｌ１’が含まれる。光Ｌ１’は、インナーレンズ９１を経由せず、つまり、配光制御をされないまま投影レンズ９３に入射する不要光である。このような光Ｌ１’が車両前方に投影されてしまうと、配光パターンを乱すグレア光となる可能性が高い。【００４２】
よって、本願発明では、図６（ｂ）に示すように、基板６２ａに、第１の光源の出射光の一部を遮光する突出部６２ｃを設けている。突出部６２ｃは、基板６１ｂの延長線と基板６２ｂが交差する交差点よりも、基板６２ｂの端部が光Ｌ１の出射方向に突出するように設けられている。突出部６２ｃによって、範囲Ｙに侵入する光Ｌ１’を遮光できるため、インナーレンズ９１を経由しない光Ｌ１’が投影レンズ９３から出射することを防止できる。なお、突出部６２ｃは、遮光したい不要光Ｌ１’の生ずる範囲Ｙに応じて大きさや長さを変更することが可能である。【００４３】
図７に示すように、突出部６２ｃの背後には、基板６１ｂの端部との間に基板６１ｂの厚さ分の空間Ｓが形成される。空間Ｓに放熱グリス１３を充填することにより、放熱効果を上げることが可能となる。特に、突出部６２ｃに第２の光源６２ａとなる複数の発光素子を搭載し、発光素子の背後に放熱フィン７を配置できない場合であっても、放熱グリス１３を介して、効率よく放熱フィン７に熱を伝導することが可能となる。なお、放熱グリス１３に代えて、熱伝導性シートを採用することも可能である。【００４４】
以上の構成の車両用灯具によれば、基板６２ｂに突出部６２ｃを設け、突出部６２ｃを用いて不要光Ｌ１’を遮光することとしたため、新たな遮光部材を設けることなく簡単かつコンパクトな構成で適切に配光制御を実施可能となるという優れた効果を奏する。また、突出部６２ｃと基板６１ｂとの間に形成された空間Ｓに放熱グリス１３を充填して放熱範囲を拡張したため、突出部６２ｃにも光源６２ａを配置できることとなり、光源６１ａ，６２ａのレイアウトの自由度が高まるという効果も有する。
【実施例２】
【００４５】
図８〜１０に示すように、本発明の実施例２に示す灯具ユニット２０２は、車両用灯具２０１のアウターレンズ２１１および灯具ボディ２１２の間に形成された灯室２１３の内部に配置される。灯具ユニット２０２は、第１，２光源ユニット２０３，２０４と、リフレクタモジュール２０５と、レンズユニット２０６から構成される。また、灯室２１３の内部には、灯具ユニット２０２の一部を灯具前方から遮蔽するエクステンション２１４が設けられている。【００４６】
また、灯具ユニット２０２は支持部材２０７を備える。支持部材２０７は、第１，２光源ユニット２０３，２０４と、リフレクタモジュール２０５と、レンズユニット２０６を支持するとともに、第１，２光源ユニット２０３，２０４の搭載面２０７ａ，２０７ｂの背後に、第１，２光源ユニット２０３，２０４から生ずる熱を放散するためのヒートシンク２０９を備える。また、支持部材２０７は、エイミング調整部材２１５により灯具ボディ２１２に保持されている。【００４７】
第１光源ユニット２０３は、発光素子２２１と、発光素子２２１を搭載した基板２２３を備え、第２光源ユニット２０４は、発光素子２２２と、発光素子２２２を搭載した基板２２４を備える。また、リフレクタモジュール２０５は、回転軸Ｒの周りで回転する回転リフレクタ２２５と、回転リフレクタ２２５を保持するリフレクタケース２２９と、回転リフレクタ２２５を駆動するモータ２２６を備える。レンズユニット２０６は、第１，２レンズ２３１，２３２と、第１，２レンズ２３１，２３２を保持するレンズホルダ２０８を備える。【００４８】
発光素子２２１から出射した光Ｌ１は、第１レンズ２３１を透過し、第２レンズ２３２に入射する。一方、第２光源ユニット２０４から出射した光Ｌ２は、回転リフレクタ２２５の反射面２２５ａで反射され、第２レンズ２３２に入射する。第２レンズ２３２に入射した第１，２光源ユニットの光Ｌ１，Ｌ２は、灯具前方に投影されて所望の配光パターンを形成する。直接光Ｌ１と回転リフレクタを経た反射光Ｌ２を第２レンズ２３２に向けるため、基板２２３，２２４は、非平行に設けられている。【００４９】
図１１に示すように、リフレクタモジュール２０５は、略分割円盤状の反射面２２５ａを回転軸Ｒの周りに回転自在に設けた回転リフレクタ２２５と、回転リフレクタ２２５を駆動するモータ２２６と、回転リフレクタ２２５を保持するリフレクタケース２２９を備える。リフレクタケース２２９は、回転リフレクタ２２５の外周を囲む立壁２２９ｂを備える。【００５０】
図１１（ｂ）に示すように、回転リフレクタ２２５は、中心部において回転軸Ｒと接続され、回転軸Ｒは、リフレクタケース２２９の底面に開口した穴２２９ａを通じてモータ２２６と接続されている。また、モータ２２６は、コイル２２６ａと通電により回転するヨーク２２６ｂを含む。リフレクタケース２２９の外側底面には、モータ２２６を制御する制御回路を搭載した制御回路基板２２７が配置されている。【００５１】
図１２〜１４に示すように、第２光源ユニット２０４は、発光素子２２２および基板２２４に加え、発光素子２２２の光を透過するカバーレンズ２４１と、カバーレンズ２４１を基板２２４に固定する固定用部材２４２を備える。なお、固定部材は、カバーレンズ２４１の捩れを防止する役割も有する。【００５２】
図１２に示すように、カバーレンズ２４１は、発光素子２２２と回転リフレクタ２２５の反射面２２５ａの間に設けられる。カバーレンズ２４１は、発光素子２２２から出射された光を回転リフレクタ２２５の反射面２２５ａに投影する配光制御部２４１ａと、配光制御部２４１ａを基板２２４に支持する脚部２４２ｂから構成され、透明部材により一体成形されている。【００５３】
また、固定用部材２４２の開口部２４２ａは、配光制御部２４１ａを露出させるように形成され、開口部２４２ａの周縁には、第２レンズ２３２とカバーレンズ２４１の間を遮るように、立壁２４２ｂが介設されている。【００５４】
図１５は、固定用部材による遮光効果を示す模式図である。発光素子２２２を出射した光は、まず、カバーレンズ２４１に入射する。光Ｌ２のように、カバーレンズ２４１の配光制御部２４１ａから出射し、回転リフレクタ２２５の反射面２２５ａを経て第２レンズ２３２へと向かう光は、適切に制御された有効光であり、灯具前方に所望の配光パターンを形成する。【００５５】
一方、カバーレンズ２４１の脚部２４２ｂから出射する光Ｌ４や、配光制御部２４１ａから出射した後に、回転リフレクタ２２５を介することなく第２レンズ２３２に向かう光Ｌ３は、制御が施されていない不要光であり、所望の配光パターンを形成しない。あるいは、光Ｌ２による配光パターンの形成を妨げる。【００５６】
ここで、固定用部材２４２は、カバーレンズ２４１を被覆し、開口部２４２ａから配光制御部２４１ａを露出させ、開口部２４２ａの周縁の、特に第２レンズ２３２が配置されている側に立壁２４２ｂを備えている。このため、光Ｌ４は、固定用部材２４２により遮光され、光Ｌ３は、立壁２４２ｂにより遮蔽される。その結果、第２レンズ２３２には、制御された光Ｌ２と、第１光源ユニット２０３からの光Ｌ１（図８参照）のみ入射され、所望の配光パターンを投影できる。なお、立壁２４２ｂは、配光制御部２４１ａと第２レンズ２３２を隔離し、配光制御部２４１ａを出射した光が直接第２レンズ２３２に入射しない程度に高く設けられることが好ましい。【００５７】
以上の構成の灯具ユニット２０２によれば、固定用部材２４２と、固定用部材２４２に設けた立壁によって、カバーレンズ２４１から出射する制御外光Ｌ３，Ｌ４を遮蔽することとしたため、制御光Ｌ２のみを投影することができるという効果を有する。また、既存の部品である固定用部材２４２を加工流用したため、灯具ユニット２０２の部品点数を削減し、灯具ユニット２０２のサイズを小さく設けることができるという効果も有する。
【実施例３】
【００５８】
図１６，１７に示すように、本発明の実施例３に示す灯具ユニット３０３は、車両用灯具３０１のアウターレンズ３１２および灯具ボディ３１３により形成された灯室３０２に装備され、回転リフレクタ３３１を含むリフレクタモジュール３０４と、回転リフレクタ３３１の反射面３３１ａに光を出射する発光素子３０５を搭載した発光素子基板３０７と、発光素子基板３０７を載置する載置面３２１を有する支持部材３０９と、反射面３３１ａで反射した光Ｌ１を灯具前方へ投影する投影レンズ３１０から構成される。
なお、灯具ユニット３０３は灯具ボディ３１３の所定の位置に、エイミング制御可能に搭載され、灯具ユニット３０３の一部は、エクステンション３１４によって車両用灯具１の外部から遮蔽されている。【００５９】
支持部材３０９は、発光素子３０５からの光が回転リフレクタ３３１に向かうように発光素子基板３０７を支持するとともに、回転リフレクタ３３１の回転軸Ｒが載置面３２１に向けて傾斜する姿勢となるようにリフレクタモジュール３０４を支持している。支持部材３０９には、発光素子３０６を搭載した発光素子基板３０８も載置されている。発光素子３０６から出射した光Ｌ２は、回転リフレクタ３３１を介すことなく、インナーレンズ３１１および投影レンズ３１０を経由して車両外部に投影される。そして、発光素子基板３０７，３０８の近傍には、発光素子３０５，３０６から生ずる熱を放散するヒートシンク（図示無し）が配置されている。【００６０】
図１８，１９に示すように、リフレクタモジュール３０４は、表面３３１ｂに反射面３３１ａを有する回転リフレクタ３３１と、回転リフレクタ３３１を収容するケース３３３と、回転リフレクタ３３１の背面側に、回転リフレクタ３３１を回転軸Ｒの周りに回動させるモータ３３２と、ケース３３３の外側底面にカバー３３５を備える。【００６１】
回転リフレクタ３３１は、図１８（ｃ）に示すように、正面視において略分割円盤状に形成されたブレード３５１から構成され、ブレード３５１は、一の半径から他の半径に向けて径が徐々に減少するように略分割円盤の中央部が切り欠かれている。また、図１９（ａ）に示すように、ブレード３５１の反射面は、側面視において径の大きい側の外周縁から径の小さい側の外周縁に向けて厚みが減少するように、緩やかな弧を描きつつ傾斜している。【００６２】
本願発明では、このようなブレード３５１の傾斜反射面３３１ａを利用したブレードスキャン方式を採用している。ブレードスキャン方式は、ブレード３５１が所定の回転角度間を回転する間のみ発光素子３０５を点灯制御し、ブレード３５１の反射面３３１ａの緩やかな傾斜に応じて徐々に反射光の投影方向が変動する作用を利用して、所望の配光パターンを形成する技術である。配光パターンは、交通状況に応じて制御される。例えば、車載センサによって、先行車、対向車または歩行者などの有無を検出し、各々の車両や歩行者に向けて自車両の存在を適切に通知するように配光パターンを調整する。この技術は、ＡＤＢ（Ａｄａｐｔｉｖｅ  Ｄｒｉｖｉｎｇ  Ｂｅａｍ）として知られている。【００６３】
図１９（ａ）に示すように、ケース３３３の内側底面には、周縁部に回転リフレクタ３３１の外周面を包囲する立壁３３４が設けられている。立壁３３４の高さは、立壁３３４の上端部が形成する平面３３４ｂよりも内側に、回転リフレクタ３３１の表面３３１ｂが収容されるように設けられていることが好ましい。【００６４】
モータ３３２は、モータ駆動部を備える。モータ駆動部は、ヨーク部３５４と、コイル３５７と、ヨーク部３５４およびコイル３５７を制御する制御回路３５５を搭載した制御回路基板３５６から構成される。そして、ケース３３３の外側底面には、制御回路基板３５６を被覆するカバー３３５が設けられている。【００６５】
カバー３３５は、ヨーク部３５４の少なくとも一部を露出させつつ、モータ駆動部の少なくとも一部を被覆する程度に設けられていれば良い。例えば、図１９（ａ）に示すように、ヨーク部３５４と制御回路基板３５６との間に形成される隙間ｄが開口部３３５ａから露出しないように設けられていることが好ましい。この場合には、ハーネス３５８が振動によりヨーク部３５４に向かって移動した場合でも、隙間ｄが覆われているため、巻き込みのリスクを低減できる。また、カバー３３５の開口部３３５ａとヨーク部３５４の間に隙間ｆを設けることも好ましく選択できる。この場合には、ヨーク部３５４の回転によってカバー３３５の内部／外部に向かう空気の流れが生じ、制御回路基板３５６を冷却することが可能となる。【００６６】
ケース３３３の立壁３３４は、一部に切り欠き部３３４ａを備え、部分的に立壁３３４が低くなるように構成されている。切り欠き部３３４ａを設けることにより、ケース３３３と灯具ユニット３４３の支持部材３０９との干渉を防止し、リフレクタモジュール３０４を安全かつ安定に灯具ユニット３０３に組み付けることが可能となる。【００６７】
図２０（ａ）は、灯具ユニット３０３を車両用灯具３０１の上方から見た場合の平面図であり、図２０（ｂ）は、図２０（ａ）の灯具ユニット３０３からリフレクタモジュール３０４を側方に向けて分離した図である。図２０（ｂ）に示すように、ケース３３３の立壁３３４の切り欠き部３３４ａは、特に、発光素子３０５よりも車両用灯具３０１の後方側に配置されていることが好ましい。また、切り欠き部３３４ａは、支持部材３０９との干渉を避けつつ、できるだけ広範囲に回転リフレクタ３３１を包囲する形状であれば良く、例えば、周囲に比べて低い程度の凹部を設けたり、支持部材３０９の形状に沿った凹部を形成したりすることが可能である。【００６８】
図２１は、灯具ユニット３０３を車両用灯具３０１の後方から見た場合の斜視図であり、図２１（ａ）は従来の構成、図２１（ｂ）は本実施例の構成を示す。図２０（ｂ）に示すように、本実施例では、カバー３３５の外側底面に、モータ３３２への給電に用いる配線部材としてのハーネス３５８を所定の位置に保持する保持部材３３６が設けられている。保持部材３３６は、ハーネス３５８とヨーク部３５４とが接触しないように遮蔽する遮蔽壁３３６ａを備え、遮蔽壁３３６ａの一部に、ハーネス３５８を挟持する係合部３３６ｂを含むように構成することができる。【００６９】
以上の構成のリフレクタモジュール３０４および灯具ユニット３０３によれば、回転リフレクタ３３１にケース３３３を設け、ケース３３３の底面内側周縁部に回転リフレクタ３３１を包囲する立壁３３４を設けたため、リフレクタモジュール３０４の近傍に配置された他部材との接触を安全に防止できるという効果を有する。それと同時に、リフレクタモジュール３０４を保持部材３３６に組み付ける際には、ケース３３３部分を手指で持って作業することができるため、回転リフレクタ３３１の反射面３３１ａを汚すことなく作業ができるという効果もある。【００７０】
また、ケース３３３の背面側に制御回路基板３５６を被覆するカバー３３５を設け、カバー３３５の外側底面にハーネス３５８を保持する保持部材３３６を設けたため、制御回路基板３５６を外部から保護しつつ、回転体であるヨーク部３５４とハーネス３５８との接触を防止することができるという効果がある。【００７１】
さらに、ケース３３３の立壁３３４の、特に、前記発光素子３０５よりも灯具後方に位置する部分を切り欠き部３３４ａを設け、部分的に立壁を低く構成したため、支持部材３０９と立壁３３４との干渉を回避しつつ、安定かつ安全にリフレクタモジュール３０４を灯具ユニット３０３に組み付けることが可能である。
【実施例４】
【００７２】
図２２，２３に示すように、本発明の実施例４に示す灯具ユニット４０２は、車両用灯具４０１のアウターレンズ４１１および灯具ボディ４１２の間に形成された灯室４１３の内部に配置される。灯具ユニット４０２は、第１，２光源ユニット４０３，４０４と（図２４参照）、リフレクタモジュール４０５と、レンズユニット４０６から構成される。また、灯室４１３の内部には、灯具ユニット４０２の一部を灯具前方から遮蔽するエクステンション４１４が設けられている。【００７３】
灯具ユニット４０２は、さらに、第１，２光源ユニット４０３，４０４と、リフレクタモジュール４０５と、レンズユニット４０６を支持する支持部材４０７を備える。支持部材４０７は、第１，２光源ユニット４０３，４０４の搭載面４０７ａ，４０７ｂ（図２４参照）の背後に、第１，２光源ユニット４０３，４０４から生ずる熱を放散するためのヒートシンク４０９を備える。また、支持部材４０７は、エイミング調整部材４１５により灯具ボディ４１２に保持されている。【００７４】
第１光源ユニット４０３から出射した光Ｌ１は、第１レンズ４３１を透過し、第２レンズ４３２に入射する。一方、第２光源ユニット４０４から出射した光Ｌ２は、回転リフレクタ４２５の反射面４２５ａで反射され、第２レンズ４３２に入射する。第２レンズ４３２に入射した第１，２光源ユニットの光Ｌ１，Ｌ２は、灯具前方に投影される。このように、光Ｌ１と光Ｌ２を第２レンズ４３２に入射させるため、基板４２３，４２４は、非平行に設けられている。【００７５】
図２４に示すように、第１，２光源ユニット４０３，４０４は、発光素子４２１，４２２と、発光素子４２１，４２２を搭載した基板４２３，４２４から構成される。第２光源ユニット４０４は、発光素子４２２の光を透過するカバーレンズ４４１と、カバーレンズ４４１を基板４２４に固定する固定用部材４４２を備える。【００７６】
基板４２４と、固定用部材４４２と、レンズホルダ４０８と、リフレクタケース４２９は、それぞれ棒状の締結部材であるネジ４５０ｉ，４５０ｊ，４５０ｋを挿通可能なネジ穴４２４ｉ，４４２ｉ，４０８ｊ，４２９ｋを備える。ネジ穴４２４ｉ，４４２ｉ，４０８ｊ，４２９ｋは、支持部材４０７に向けて同一方向に開口している。ネジ穴４２４ｉおよび４４２ｉにネジ４５０ｉを、ネジ穴４０８ｊにネジ４５０ｊを、ネジ穴４２９ｋにネジ４５０ｋをそれぞれ挿通し、支持部材４０７のネジ穴４０７ｉ，４０７ｊ，４０７ｋにそれぞれ締結すると、灯具ユニット４０２となる。灯具ユニット４０２において、ネジ４５０ｉ，４５０ｊ，４５０ｋは平行に配置される。【００７７】
図２５に示すように、リフレクタモジュール４０５は、略分割円盤状の反射面４２５ａを回転軸Ｒの周りに回転自在に設けた回転リフレクタ４２５と、回転リフレクタ４２５を駆動するモータ４２６と、回転リフレクタ４２５を保持するリフレクタケース４２９を備える。リフレクタケース４２９は、回転リフレクタ４２５の外周を囲む立壁４２９ｂを備える。【００７８】
図２５（ｂ）に示すように、回転リフレクタ４２５は、中心部において回転軸Ｒと接続され、回転軸Ｒは、リフレクタケース４２９の底面に開口した穴４２９ａを通じてモータ４２６と接続されている。また、モータ４２６は、コイル４２６ａと通電により回転するヨーク４２６ｂを含む。リフレクタケース４２９の外側底面には、モータ４２６を制御する制御回路を搭載した制御回路基板４２７が配置されている。【００７９】
図２６に示すように、レンズユニット４０６は、第１，２レンズ４３１，４３２と、第１，２レンズ４３１，４３２を保持するレンズホルダ４０８から構成される。レンズホルダ４０８は、第１，２レンズ４３１，４３２を保持する本体部４３３と、本体部４３３を灯具ユニット４０２の支持部材４０７に締結する締結部４３４と、複数の締結部４３４を接続して補強する補強部材４３５を備える。【００８０】
図２６（ｂ）に示すように、本体部４３３は、第１レンズ４３１を保持する保持面４３３ａを備える。第１レンズ４３１は、本体部４３３に保持される被保持面４３１ａの背面に、第２レンズ４３４を保持する保持面４３１ｂを備える。第１レンズ４３１の第２レンズ保持面４３１ｂと、本体部４３３の第２レンズ保持面４３３ｂに、第２レンズ４３２が保持される。
また、図２７（ａ）に示すように、本体部４３３は正面視において、略矩形枠状に形成され、一対の長辺４３３ｃを含む。そして、一対の長辺４３３ｃの略中央には、それぞれ締結部４３４が配置される。【００８１】
図２７（ａ）は、レンズホルダ４０８の正面図である。本体部４３３は、略矩形枠状に形成され、一対の長辺４３３ｃを含む。そして、一対の長辺４３３ｃの略中央には、それぞれ締結部４３４が配置される。【００８２】
ここで、従来のレンズホルダ４６８（図３０（ａ）参照）では、締結部４３４がレンズ側方に突出して配置されていたが、本実施例では正面からは視認し難い位置に設けられている。その結果、図２７（ｂ）に示すように、本発明の灯具ユニット４０２は、従来の灯具ユニット４６２（図３０（ｂ）参照）に比べて、正面視におけるレンズ部分の領域が減少している。以下、締結部４３４の配置について詳説する。【００８３】
図２８（ａ）は、レンズホルダ４０８の右側面図である。締結部４３４は、本体部４３３を基端として灯具後方に向けて立設され、灯具ユニット正面視において、第２レンズ４３２および本体部４３３により遮蔽される位置に配置される。このとき、締結部４３４は、第２レンズ４３２に入射する光線を遮らない範囲で、第２レンズ４３２の中心軸に向けて迫り出すように設けることが可能である。【００８４】
図２８（ａ）に示すように、補強部材４３５は、一の締結部４３４と他の締結部４３４を基端とし、灯具後方に向けて張り出して設けられる。また、補強部材４３５は、灯具ユニット４０２において、第２光源ユニット４０４の固定用部材４４２の３つの側面を囲む略Ｕ字形状に設けられている（図２４参照）。【００８５】
図２８（ｂ）に示すように、締結部４３４は、ネジ４５０ｊを挿通させるネジ穴４０８ｊを備える。ネジ穴４０８ｊは、第２レンズ４３２のレンズ面４３２ａと平行な向きに開口している。また、ネジ４５０ｊを支持部材４０７に締結した状態では、ネジ４５０ｊの中心軸は、第２レンズ４３２のレンズ面４３２ａと平行に配置される。【００８６】
図２９（ａ）は、レンズホルダ４０８を底面方向から見上げた斜視図である。連結部４３４および補強部材４３５は、それぞれリブ４３４ａ，４３５ａを備える。このとき、補強部材４３５のリブは、連結部４３４のリブ４３６よりも低く設けられている。【００８７】
図２９（ｂ）は、灯具ユニット４０２における、レンズユニット４０６およびリフレクタモジュール４０５の位置関係を示す。回転リフレクタ４２５は、回転軸Ｒと第２レンズ４３２の光軸が非平行となるように支持され、リブ４３４ａ，４３５ａは、いずれもリフレクタケース４２９に向かって立設されている。また、補強部材４３５のリブ４３５ａは、締結部４３４のリブ４３４ａよりも高さが低くなるように設けられ、低く設けられた補強部材４３５のリブ４３５ｂの位置に、リフレクタケース４２９の立壁４２９ｂが配置される。このように、締結部４３４のリブ４３４ａより補強部材４３５のリブ４３５ａの高さを低く設けたため、リフレクタケース４２９と補強部材４３５が干渉せず、リフレクタモジュール４０５とレンズユニット４０６を近接して配置でき、灯具ユニット４０２を小型化することができる。【００８８】
以上の構成の灯具ユニット４０２によれば、灯具ユニット４０２の正面視において、締結部４３４が第２レンズ４３２および本体部４３３から突出しないように配置されているため、灯具ユニット４０２の見栄えが向上するという優れた効果を有する。また、レンズホルダ４０８を、基板４２４およびリフレクタケース４２９と同一方向から締結できるため、組み付け作業の手間を低減できるという効果も有する。さらに、補強部材４３５を設けることで、ネジ４５０ｊを締結する際の締結部４３４の捩れを防止し、ネジ締結後は略Ｕ字形状が固定用部材４４２と係合して、レンズホルダ４０８のがたつきや脱落を防止することが可能である。【００８９】
なお、本発明は上記実施例１〜４に限定されるものではなく、例えば以下に示すように、発明の趣旨を逸脱しない範囲で、各部の形状ならびに構成を適宜に変更して実施することも可能である。
（１）例えば、基板の突出部を基板６１ｂに設け、第２の光源６２ａから出射し、インナーレンズ９２および／または回転リフレクタ８を経由することなく投影レンズ９３に向かう光Ｌ２を遮光することも好適である。
（２）保持部材３３６を、遮蔽壁３３６ａおよび係合部３３６ｂの代わりに、先端に把持部を設けたピンチを立設し、ハーネス３５８を挟持しても良い。また、回転リフレクタ３３１は反射面３３１ａを有する単数、複数、いずれのブレード３５１から構成することも可能であり、ブレードの形状を、三角形状、矩形状、その他様々な多角形状の板状部材で構成することも可能である。
【符号の説明】
【００９０】
１    車両用前照灯
２    灯具ボディ
３    透光カバー
４    灯室
５    ランプユニット
７    放熱フィン
８    リフレクタモジュール
９    レンズホルダ
１０    支持部材
１１    エイミング調整部材
１２    エクステンションリフレクタ
１３    放熱グリス
８１    回転リフレクタ
８２    リフレクタケース
８３    モータ
６１，６２    光源ユニット（ａ：光源、ｂ：基板、ｃ：突起部）
９１，９２    インナーレンズ
９３    投影レンズ
２０１  車両用灯具
２０２  灯具ユニット
２０３  第１光源ユニット
２０４  第２光源ユニット
２０５  リフレクタモジュール
２０６  レンズユニット
２０７  支持部材
２０８  レンズホルダ
２０９  ヒートシンク
２１１  アウターレンズ
２１２  灯具ボディ
２１３  灯室
２１４  エクステンション
２１５  エイミング調整部材
２２１，２２２  発光素子
２２３，２２４  基板
２２５  回転リフレクタ（ａ：反射面）
２２６  モータ
２２７  制御回路基板
２２９  リフレクタケース（ａ：立壁）
２３１  第１レンズ
２３２  第２レンズ（投影レンズ）
２４１  カバーレンズ（ａ：配光制御部、ｂ：脚部）
２４２  固定用部材（ａ：開口部、ｂ：立壁）
３０１    車両用灯具
３０２    灯室
３０３    灯具ユニット
３０４    リフレクタモジュール
３０５，３０６    発光素子
３０７，３０８    発光素子基板
３０９    支持部材
３１０    投影レンズ
３１１    インナーレンズ
３１２    アウターレンズ
３１３    灯具ボディ
３１４    エクステンション
３２１    載置面
３３１    回転リフレクタ（ａ：反射面、ｂ：表面）
３３２    モータ
３３３    ケース
３３４    立壁（ａ：切り欠き部、ｂ：上端部平面）
３３５    カバー（ａ：開口部）
３３６    保持部材（ａ：遮蔽壁、ｂ：係合部）
３５１    ブレード
３５４    ヨーク部
３５５    制御回路
３５６    制御回路基板
３５８    ハーネス
４０１    車両用灯具
４０２    灯具ユニット
４０３    第１光源ユニット
４０４    第２光源ユニット
４０５    リフレクタモジュール
４０６    レンズユニット
４０７    支持部材
４０８    レンズホルダ
４０９    ヒートシンク
４１１    アウターレンズ
４１２    灯具ボディ
４１３    灯室
４１４    エクステンション
４２１，４２２    発光素子
４２３，４２４    基板
４２５    回転リフレクタ
４２６    モータ
４２７    制御回路基板
４２９    リフレクタケース
４３０    立壁
４３１    第１レンズ
４３２    第２レンズ
４３３    本体部
４３４    締結部
４３５    補強部材
４４１    カバーレンズ
４４２    固定用部材
４５０    ネジ
Ｌ，Ｌ１，Ｌ２，Ｌ３，Ｌ４    光
Ｙ    範囲
Ｒ    回転軸
【図１】
2020080512.tif 000003
【図２】
2020080512.tif 000004
【図３】
2020080512.tif 000005
【図４】
2020080512.tif 000006
【図５】
2020080512.tif 000007
【図６】
2020080512.tif 000008
【図７】
2020080512.tif 000009
【図８】
2020080512.tif 000010
【図９】
2020080512.tif 000011
【図１０】
2020080512.tif 000012
【図１１】
2020080512.tif 000013
【図１２】
2020080512.tif 000014
【図１３】
2020080512.tif 000015
【図１４】
2020080512.tif 000016
【図１５】
2020080512.tif 000017
【図１６】
2020080512.tif 000018
【図１７】
2020080512.tif 000019
【図１８】
2020080512.tif 000020
【図１９】
2020080512.tif 000021
【図２０】
2020080512.tif 000022
【図２１】
2020080512.tif 000023
【図２２】
2020080512.tif 000024
【図２３】
2020080512.tif 000025
【図２４】
2020080512.tif 000026
【図２５】
2020080512.tif 000027
【図２６】
2020080512.tif 000028
【図２７】
2020080512.tif 000029
【図２８】
2020080512.tif 000030
【図２９】
2020080512.tif 000031
【図３０】
2020080512.tif 000032
【国際調査報告】
2020080512.tif 000033
2020080512.tif 000034
2020080512.tif 000035
2020080512.tif 000036
2020080512.tif 000037
2020080512.tif 000038
2020080512.tif 000039
2020080512.tif 000040
2020080512.tif 000041
2020080512.tif 000042
2020080512.tif 000043